(57)【要約】【課題】  携帯電話端末や電子手帳などの情報処理端末に記録されたデータをシチュエーションにあわせて表示する情報処理端末、データ表示方法、及びデータ表示プログラムを提供する。【解決手段】  無線携帯端末等のメモリ４に格納される各データ（１０から１９）を実データ（１０−１から１９−１）及びフラグ（１０−２から１９−２）により構成して管理すると同時に、各シチュエーションモード（Ａ、Ｂ、Ｃ）に応じた各データの表示条件を予め設定しておくことにより、ユーザが置かれている状況に応じて詳細に各データ（１０から１９）の表示・非表示を決定し、その状況に応じたデータのみをユーザに提供することにより、データの検索を容易にし、かつ第三者に無線携帯端末が盗まれた場合でも、データの漏洩を防止する。【選択図】  図１
2006268159.tif 000002
【特許請求の範囲】
【請求項１】
データにフラグを付加して記憶する記憶手段と、
様々なシチュエーションにおける前記データの表示条件を前記シチュエーションごとに管理するテーブルを記憶するテーブル記憶手段と、
前記テーブルにおいて管理される前記シチュエーションから１つのシチュエーションを選択する選択手段と、
前記選択手段によって選択された前記シチュエーションに応じた表示条件に対応するフラグが付加された前記データを前記記憶手段から検索する検索手段と、
前記検索手段によって検索された前記データを順次表示する表示手段とを有することを特徴とする情報処理端末。
【請求項２】
データにフラグを付加して管理し、関連するデータを階層化して記憶する記憶手段と、
様々なシチュエーションにおける前記データの表示条件と、該データに関連するデータが存在する場合にいずれのデータに付加されたフラグを優先するか示す優先順位とを前記シチュエーションごとに管理するテーブルを記憶するテーブル記憶手段と、
前記テーブルにおいて管理される前記シチュエーションから１つのシチュエーションを選択する選択手段と、
前記選択手段によって選択された前記シチュエーションに応じた表示条件及び優先順位に対応するフラグが付加された前記データを前記記憶手段から検索する検索手段と、
前記検索手段によって検索された前記データを順次表示する表示手段とを有することを特徴とする情報処理端末。
【請求項３】
前記表示条件が特定のフラグが付加された前記データを表示又は非表示とすることを表すことを特徴とする請求項１又は２記載の情報処理端末。
【請求項４】
前記各シチュエーションにおける表示条件を変更する変更手段を有することを特徴とする請求項１から３のいずれか１項記載の情報処理端末。
【請求項５】
前記記憶手段に前記データを格納するとき、前記データに付加するフラグを入力する入力手段を有することを特徴とする請求項１から４のいずれか１項記載の情報処理端末。
【請求項６】
前記入力手段によって前記データに付加するフラグが入力されなかったとき、自動的にフラグを前記データに付加する付加手段とを有することを特徴とする請求項５記載の情報処理端末。
【請求項７】
データにフラグを付加して記憶する記憶手段と、様々なシチュエーションにおける前記データの表示条件を前記シチュエーションごとに管理するテーブルを記憶するテーブル記憶手段とを有する情報処理端末のデータ表示方法であって、
前記テーブルにおいて管理される前記シチュエーションから１つのシチュエーションを選択する選択工程と、
前記選択工程によって選択された前記シチュエーションに応じた表示条件に対応するフラグが付加された前記データを前記記憶手段から検索する検索工程と、
前記検索工程によって検索された前記データを順次表示する表示工程とを有することを特徴とするデータ表示方法。
【請求項８】
データにフラグを付加して管理し、関連するデータを階層化して記憶する記憶手段と、様々なシチュエーションにおける前記データの表示条件と、該データに関連するデータが存在する場合にいずれのデータに付加されたフラグを優先するか示す優先順位とを前記シチュエーションごとに管理するテーブルを記憶するテーブル記憶手段とを有する情報処理端末のデータ表示方法であって、
前記テーブルにおいて管理される前記シチュエーションから１つのシチュエーションを選択する選択工程と、
前記選択工程によって選択された前記シチュエーションに応じた表示条件及び優先順位に対応するフラグが付加された前記データを前記記憶手段から検索する検索工程と、
前記検索工程によって検索された前記データを順次表示する表示工程とを有することを特徴とするデータ表示方法。
【請求項９】
データにフラグを付加して記憶する記憶手段と、様々なシチュエーションにおける前記データの表示条件を前記シチュエーションごとに管理するテーブルを記憶するテーブル記憶手段とを有する情報処理端末のデータ表示プログラムであって、
前記テーブルにおいて管理される前記シチュエーションから１つのシチュエーションを選択する選択処理と、
前記選択処理によって選択された前記シチュエーションに応じた表示条件に対応するフラグが付加された前記データを前記記憶手段から検索する検索処理と、
前記検索処理によって検索された前記データを順次表示する表示処理とを有することを特徴とするデータ表示プログラム。
【請求項１０】
データにフラグを付加して管理し、関連するデータを階層化して記憶する記憶手段と、様々なシチュエーションにおける前記データの表示条件と、該データに関連するデータが存在する場合にいずれのデータに付加されたフラグを優先するか示す優先順位とを前記シチュエーションごとに管理するテーブルを記憶するテーブル記憶手段とを有する情報処理端末のデータ表示プログラムであって、
前記テーブルにおいて管理される前記シチュエーションから１つのシチュエーションを選択する選択処理と、
前記選択処理によって選択された前記シチュエーションに応じた表示条件及び優先順位に対応するフラグが付加された前記データを前記記憶手段から検索する検索処理と、
前記検索処理によって検索された前記データを順次表示する表示処理とを有することを特徴とするデータ表示プログラム。
【発明の詳細な説明】
【技術分野】
【０００１】
本発明は、情報処理端末、データ表示方法、及びデータ表示プログラムに関し、特に、携帯電話端末や電子手帳などの情報処理端末に記録されたデータをシチュエーションにあわせて表示する情報処理端末、データ表示方法、及びデータ表示プログラムに関する。
【背景技術】
【０００２】
従来より、携帯電話端末に電話帳メモリを備え、相手の端末の電話番号、名称、住所等からなる端末データを登録（記憶）するとともに、登録した端末データを検索して表示部に一覧表示させるものがある。ユーザはこの一覧表示された端末データを選択することにより相手の端末にオートダイヤルしたり、必要な情報を確認することができる。
【０００３】
特許文献１では、登録した端末データを検索する際、設定している分類の端末データだけを記憶手段から読み出して表示させ、他の分類の端末データを表示させないことにより、異なる分類の端末データが混在して登録されている場合でも、目標とする端末データを迅速に検索することができる携帯通信装置が提案されている。
【０００４】
特許文献２では、表示モードをマスクモードに設定することにより、登録されているにもかかわらず、一定期間、使用されなかった電話番号を検索対象から除外することにより、多数の電話番号が登録されている電話帳を検索する場合でも、電話番号検索の効率を向上させることができる無線携帯端末及びその電話番号表示方法が提案されている。
【特許文献１】特開平９−１０７３９６号公報
【特許文献２】特開２００２−７７３６２号公報
【発明の開示】
【発明が解決しようとする課題】
【０００５】
しかし、上記の発明は以下の問題を有している。
【０００６】
特許文献１記載の携帯通信装置によれば、表示モードをマスクモードに設定することにより、登録されているにもかかわらず、一定期間、使用されなかった電話番号を検索対象から除外し、多数の電話番号が登録されている場合でも容易に所望の電話番号を検索することができる。つまり、登録されている各電話番号にフラグを付加しておき、選択されたフラグの種類に応じて該当するフラグが付加される電話番号群を表示する。よって、ユーザが置かれている状況に応じて表示される電話番号群を変更することはできない。
【０００７】
特許文献２記載の無線携帯端末及び電話番号表示方法によれば、登録されている電話番号が予め設定された条件に該当した場合は、それらの検索対象から除外することにより、電話番号の検索を容易にしている。つまり、予め設定した条件に基づいて各電話番号に表示又は非表示のフラグを付加して管理することにより、電話番号の検索を容易にしている。よって、ユーザが置かれている状況に応じて各電話番号を表示したり、非表示とすることはできない。
【０００８】
そこで、本発明は、無線携帯端末等の情報処理端末に格納される各データにフラグを付加して管理すると同時に、さまざまな状況下に応じた各データの表示条件を予め設定しておくことにより、ユーザが置かれている状況に応じて詳細に各データの表示・非表示を決定し、その状況に応じたデータのみをユーザに提供することにより、データの検索を容易にし、かつ第三者に無線携帯端末が盗まれた場合でも、データの漏洩を防止することができる情報処理端末、データ表示方法、及びデータ表示プログラムを提案することを目的としている。
【課題を解決するための手段】
【０００９】
請求項１記載の情報処理端末は、データにフラグを付加して記憶する記憶手段と、様々なシチュエーションにおける前記データの表示条件を前記シチュエーションごとに管理するテーブルを記憶するテーブル記憶手段と、前記テーブルにおいて管理される前記シチュエーションから１つのシチュエーションを選択する選択手段と、前記選択手段によって選択された前記シチュエーションに応じた表示条件に対応するフラグが付加された前記データを前記記憶手段から検索する検索手段と、前記検索手段によって検索された前記データを順次表示する表示手段とを有することを特徴とする。
【００１０】
請求項２記載の情報処理端末は、データにフラグを付加して管理し、関連するデータを階層化して記憶する記憶手段と、様々なシチュエーションにおける前記データの表示条件と、該データに関連するデータが存在する場合にいずれのデータに付加されたフラグを優先するか示す優先順位とを前記シチュエーションごとに管理するテーブルを記憶するテーブル記憶手段と、前記テーブルにおいて管理される前記シチュエーションから１つのシチュエーションを選択する選択手段と、前記選択手段によって選択された前記シチュエーションに応じた表示条件及び優先順位に対応するフラグが付加された前記データを前記記憶手段から検索する検索手段と、前記検索手段によって検索された前記データを順次表示する表示手段とを有することを特徴とする。
【００１１】
請求項３記載の発明は、請求項１又は２記載の情報処理端末において、前記表示条件が特定のフラグが付加された前記データを表示又は非表示とすることを表すことを特徴とする。
【００１２】
請求項４記載の発明は、請求項１から３のいずれか１項記載の情報処理端末において、前記各シチュエーションにおける表示条件を変更する変更手段を有することを特徴とする。
【００１３】
請求項５記載の発明は、請求項１から４のいずれか１項記載の情報処理端末において、前記記憶手段に前記データを格納するとき、前記データに付加するフラグを入力する入力手段を有することを特徴とする。
【００１４】
請求項６記載の発明は、請求項５記載の情報処理端末において、前記入力手段によって前記データに付加するフラグが入力されなかったとき、自動的にフラグを前記データに付加する付加手段とを有することを特徴とする。
【００１５】
請求項７記載の発明は、データにフラグを付加して記憶する記憶手段と、様々なシチュエーションにおける前記データの表示条件を前記シチュエーションごとに管理するテーブルを記憶するテーブル記憶手段とを有する情報処理端末のデータ表示方法であって、前記テーブルにおいて管理される前記シチュエーションから１つのシチュエーションを選択する選択工程と、前記選択工程によって選択された前記シチュエーションに応じた表示条件に対応するフラグが付加された前記データを前記記憶手段から検索する検索工程と、前記検索工程によって検索された前記データを順次表示する表示工程とを有することを特徴とする。
【００１６】
請求項８記載の発明は、データにフラグを付加して管理し、関連するデータを階層化して記憶する記憶手段と、様々なシチュエーションにおける前記データの表示条件と、該データに関連するデータが存在する場合にいずれのデータに付加されたフラグを優先するか示す優先順位とを前記シチュエーションごとに管理するテーブルを記憶するテーブル記憶手段とを有する情報処理端末のデータ表示方法であって、前記テーブルにおいて管理される前記シチュエーションから１つのシチュエーションを選択する選択工程と、前記選択工程によって選択された前記シチュエーションに応じた表示条件及び優先順位に対応するフラグが付加された前記データを前記記憶手段から検索する検索工程と、前記検索工程によって検索された前記データを順次表示する表示工程とを有することを特徴とする。
【００１７】
請求項９記載の発明は、データにフラグを付加して記憶する記憶手段と、様々なシチュエーションにおける前記データの表示条件を前記シチュエーションごとに管理するテーブルを記憶するテーブル記憶手段とを有する情報処理端末のデータ表示プログラムであって、前記テーブルにおいて管理される前記シチュエーションから１つのシチュエーションを選択する選択処理と、前記選択処理によって選択された前記シチュエーションに応じた表示条件に対応するフラグが付加された前記データを前記記憶手段から検索する検索処理と、前記検索処理によって検索された前記データを順次表示する表示処理とを有することを特徴とする。
【００１８】
請求項１０記載の発明は、データにフラグを付加して管理し、関連するデータを階層化して記憶する記憶手段と、様々なシチュエーションにおける前記データの表示条件と、該データに関連するデータが存在する場合にいずれのデータに付加されたフラグを優先するか示す優先順位とを前記シチュエーションごとに管理するテーブルを記憶するテーブル記憶手段とを有する情報処理端末のデータ表示プログラムであって、前記テーブルにおいて管理される前記シチュエーションから１つのシチュエーションを選択する選択処理と、前記選択処理によって選択された前記シチュエーションに応じた表示条件及び優先順位に対応するフラグが付加された前記データを前記記憶手段から検索する検索処理と、前記検索処理によって検索された前記データを順次表示する表示処理とを有することを特徴とする。
【発明の効果】
【００１９】
本発明は、無線携帯端末等の情報処理端末に格納される各データにフラグを付加して管理すると同時に、さまざまな状況下に応じた各データの表示条件を予め設定しておくことにより、ユーザが置かれている状況に応じて詳細に各データの表示・非表示を決定し、その状況に応じたデータのみをユーザに提供することにより、データの検索を容易にし、かつ第三者に無線携帯端末が盗まれた場合でも、データの漏洩を防止することができる。
【発明を実施するための最良の形態】
【００２０】
以下に本発明の一実施形態に係る無線携帯端末の構成及び動作について説明する。
【００２１】
本実施形態に係る無線携帯端末は、図１に示すように、スイッチ１、制御部２、中央処理装置（ＣＰＵ）３、メモリ４、表示部５、アンテナ６、無線部７、マイク８、及びレシーバ９を有して構成される。スイッチ１は、無線携帯端末に対する外部操作を行うためのスイッチである。制御部２は、ＣＰＵ３の指示に基づいて無線携帯端末の全体の動作を制御する。ＣＰＵ３は、メモリ４に格納されているプログラムに基づいて、制御部２の動作を制御するとともに、必要な表示用データを出力する。表示部５は、ＣＰＵ３から出力される表示用データを可視表示する。アンテナ６は、無線部７と図示されない基地局との間で、電波の送受信を行う。無線部７は、制御部２との間で送受する符号化された音声信号や制御用データと、アンテナ６との間で送受する変調波からなる無線信号との相互の変換を行う。マイク８は、ユーザの音声を電気信号に変換して制御部２へ入力する。レシーバ９は、制御部２からの電気信号を音声に変換してユーザへ出力する。
【００２２】
次に、図１を参照して、本実施形態に係る無線携帯端末における、表示用データを表示する際の一般的な制御を説明する。
【００２３】
スイッチ１における所定のスイッチを押下することによって、ユーザからの表示用データの表示要求が、制御部２を介してＣＰＵ３へ伝達される。ＣＰＵ３は、メモリ４に格納されている表示用データを検索して、予め定められている順番に従って、表示部５において表示用データの表示を行う。この際、メニューキーの押下によって、表示部５において表示されるメニュー中の表示モードが指定され、さらにその表示モードがマスクモードに設定されている場合には、ＣＰＵ３は、一定期間内に使用された表示用データ等だけを表示するように制御を行う。
【００２４】
以下、図１及び２を利用して、本実施形態に係る無線携帯端末における、表示用データの表示方法を詳細に説明する。
【００２５】
一般的な無線携帯端末の場合、スイッチ１には、図２に示すように、テンキー（０〜９）、＊キー、＃キー、スクロールキー（←、↑、↓、→）、開始キー、終了キー、メニューキー、クリアキー等が設けられている。ユーザが、スイッチ１中のメニューキーを押下すると、表示部５において、複数のメニューモードが表示されるので、その中の所望の表示用データを選択することによって、表示用データの表示要求が、制御部２を介してＣＰＵ３に伝達される。表示要求を受け取ったＣＰＵ３は、メモリ４の記憶内容から該当する表示用データを検索して、表示部５において表示用データを表示させる。この際、メモリ４に格納されている表示用データの数が、表示部５において表示可能な数を超えている場合には、規定ルールに従って、表示可能な数だけを表示させておき、残りの表示用データは、ユーザのスクロールキー（←キー、↑キー、↓キー、→キー）の押下によって、任意の方向に順次、スクロールして表示させる制御を行う。このような制御方法は、一般的な携帯電話等の場合において、周知である。
【００２６】
次に、メモリ４に格納されている表示用データの具体的な構成について図３から７を用いて説明する。
【００２７】
まず、メモリ４に格納される表示用データの構成について図３を用いて説明する。
【００２８】
図３に示すように表示用データは、実際に表示部５に表示されるデータからなる実データと、各実データに付加されるフラグとを有して構成される。具体的には、表示用データ（１０から１９）は、実データ（１０−１から１９−１）及びフラグ（１０−２から１９−２）が各表示用データについて対となって構成されている。
【００２９】
図３に示す表示用データが表示部５に表示された場合、図４に示すように表示用データの実データのみが表示部５に表示される。つまり、表示部５には、実データ（１０−１から１９−１）のみが表示され、フラグ（１０−２から１９−２）は表示されない。
【００３０】
なお、本実施形態に係る無線携帯端末においては、表示用データ（１０から１９）がメモリ４に格納される際に、フラグ（１０−２から１９−２）としてａ、ｂ、ｃ、又は指定なし扱いのｚが実データ（１０−１から１９−１）に付加されるものとする。本実施形態においては、各実データに対となって付加されるフラグとしてａ、ｂ、ｃ、又はｚが用いるが、これに限定されるものではなく、より多くの種類のフラグにより表示用データを分類する構成としてもよい。ここで、表示用データ（１０から１９）は同種類（電話帳、履歴、電子メール、静止画像、音楽など）のデータであるものとする。
【００３１】
次に、シチュエーションモードＡ、Ｂ、Ｃとして、各シチュエーションモードについて表示させたいフラグ、又は表示させたくないフラグなどを組み合わせて、メモリ４に格納する。なお、メモリ４には、各シチュエーションモードについて表示するフラグ、又は表示しないフラグを対応させた表１に示すテーブルが格納されるものとする。なお、本実施形態においては、シチュエーションをＡ、Ｂ、Ｃの３つに分類し、各シチュエーションに応じてユーザがスイッチ１から表示するフラグ、又は表示しないフラグを設定する構成としたが、より細かくシチュエーションを分類する構成としてもよい。
【００３２】
【表１】
2006268159.tif 000003
【００３３】
また、履歴、電子メールなど、ユーザ本人がフラグを設定できないものには、特定のフラグが自動的に付加されるものとする（ｚは記録しない場合を含む）。
【００３４】
次に、本実施形態に係る無線携帯端末の具体的な動作について図８を用いて説明する。
【００３５】
まず、図２に示すように、同種類（電話帳、履歴、電子メール、静止画像、動画、音楽など）のデータからなる表示用データ（１０から１９）がメモリ４に格納される（ステップＳ８０１）。このとき、各実データ（１０−１から１９−１）に付加されるフラグ（１０−２から１９−２）には、ａ、ｂ、ｃ、又はｚが記録される。次に、ユーザは、各シチュエーションモード（Ａ、Ｂ、Ｃ）についての実データ（１０−１から１９−１）の表示条件として、表１に示すように、各シチュエーションにおいて表示するフラグが設定されたテーブルをメモリ４に格納する（ステップＳ８０２）。
【００３６】
そして、スイッチ１を通じてユーザが表示用データの表示が要求されると（ステップＳ８０３）、ＣＰＵ３はシチュエーションの選択を待って待機する（ステップＳ８０４）。スイッチ１から所望のシチュエーションが選択されると（ステップＳ８０４／ＹＥＳ）、ＣＰＵ３はメモリ１から表１を読み出し、表示するフラグを検出する。表示するフラグが検出されると、ＣＰＵ３は表示用データから検出されたフラグが付加された実データを読み出し、該実データを表示部５に表示する（ステップＳ８０５）。
【００３７】
例えば、シチュエーションモードＡを選択された場合（ステップＳ８０４）、図５に示すように実データ（１０−１から１９−１）から全ての実データが読み出され、表示部５に表示される（ステップＳ８０５）。シチュエーションモードＢが選択された場合（ステップＳ８０４）、図６に示すように実データ（１０−１から１９−１）からフラグａが付加された実データ（１０−１、１４−１、１８−１）のみ読み出され、表示部５に表示される（ステップＳ８０５）。シチュエーションモードＣが選択された場合（ステップＳ８０４）、フラグｂ以外が付加された実データ（１０−１、１２−１、１３−１、１４−１、１６−１、１７−１、１８−１）が読み出され、表示部５に表示される（ステップＳ８０５）。
【００３８】
シチュエーションモードの変更は、起動時、特別なキー操作、又はパスワードで保護された領域において可能とする。フラグの変更は、起動時、特別なキー操作、又はパスワードで保護された領域において可能とする。
【００３９】
次に、表示用データが階層的に構成された表示用データがメモリ４に格納されている場合における本実施形態に係る無線携帯端末の動作について説明する。
【００４０】
まず、階層的に構成された表示用データの構成について図９を用いて説明する。
【００４１】
図９に示す表示用データは、親データ及び子データを有して構成される。親データ（２０から２９）は、実データ（２０−１から２９−１）及びフラグ（２０−２から２９−２）を有して構成される。子データ（１０から１９）は、実データ（１０−１から１９−１）及びフラグ（１０−２から１９−２）を有して構成される。これらの子データ（１０から１９）と親データ（２０から２９）は、メモリ４に格納される表示用データであり、図３と同様にそれぞれ実データとフラグの対で構成されている。つまり、データ１０は、実データ１０−１とフラグ１０−２で構成され、データ１１から２９も同様に、実データ（１１−１から１９−１、２０−１から２９−１）とフラグ（１１−２から１９−２、２０−２から２９−２）の実データとフラグの対で構成される。
【００４２】
図９に示す子データ（１０から１９）は、同種類（履歴、電子メール、静止画像、動画、音楽など）のデータから構成される。また、親データ（２０から２９）も同様に、子データに関連する同種類のデータから構成される。ここで、親データは電話帳データ、子データは受信メールデータから構成されるものとする。なお、実際に表示部５に表示されるデータは実データであり、フラグは表示されない。
【００４３】
なお、本実施形態に係る無線携帯端末においては、子データ及び親データがメモリ４に格納される際に、フラグ（１０−２から１９−２、２０−２から２９−２）としてａ、ｂ、ｃ、又は指定なし扱いのｚが実データ（１０−１から１９−１、２０−１から２９−１）に付加されるものとする。本実施形態においては、各実データに対となって付加されるフラグとしてａ、ｂ、ｃ、又はｚが用いるが、これに限定されるものではなく、より多くの種類のフラグにより表示用データを分類する構成としてもよい。
【００４４】
次に、シチュエーションモードＡ、Ｂ、Ｃとして、各シチュエーションモードについて表示させたいフラグ、又は表示させたくないフラグなどを組み合わせて、メモリ４に格納する。さらに、表示用データが階層的に構成されている場合は、親子関係にあるフラグの優先順位を各シチュエーションモードに応じて設定する。メモリ４には、各シチュエーションモードについて表示するフラグ、又は表示しないフラグと、各シチュエーションモードにおいて親子関係にあるフラグの優先順位とを対応させた表２に示すテーブルが格納されるものとする。
【００４５】
表２において、シチュエーションモードＡは、表示するフラグ：全てのフラグを表示する、親子関係の優先順位：子データにｚ以外のフラグが存在する場合には、子データを優先、シチュエーションモードＢは、表示するフラグ：フラグａのみ表示、親子関係の優先順位：子データにｚ以外のフラグが存在する場合には、子データを優先、シチュエーションモードＣは、表示するフラグ：フラグｂのみを非表示、親子関係の優先順位：子データにｚ以外のフラグが存在する場合でも、親が存在する場合には、親データを優先とする。
【００４６】
【表２】
2006268159.tif 000004
【００４７】
なお、本実施形態においては、シチュエーションをＡ、Ｂ、Ｃの３つに分類し、各シチュエーションに応じてユーザがスイッチ１から表示するフラグ、又は表示しないフラグを設定する構成としたが、より細かくシチュエーションを分類する構成としてもよい。
【００４８】
また、履歴、電子メールなど、ユーザ本人がフラグを設定できないものには、特定のフラグが自動的に付加されるものとする（ｚは記録しない場合を含む）。
【００４９】
次に、階層的に構成された表示用データを表示する際の具体的な動作について図９から１３を用いて説明する。
【００５０】
なお、本実施形態においては、子データ（１０から１９）は受信メールデータとし、親データ（２０から２９）は電話帳データとする。親子関係は、子データである受信メールデータの送信者アドレスが、親データである電話帳データに記録されていることで関係づけられる。この場合、必ずしも親データが存在するわけではなく、親データが存在しない場合には、子データのフラグを有効とする。子データ（１０から１９）と親データ（２０から２９）とをつなぐ矢印は、該子データと親データとが親子関係にあることを表している。つまり、受信メールデータである子データが電話帳データである特定の親データとつながれている場合は、該子データは該親データにより特定される相手先から受信した受信メールデータであることを表している。図９において、子データ（１０、１１、１６）は親データ２０と矢印で結ばれているため、子データ（１０、１１、１６）は親データ２０に該当する相手先から受信した受信メールデータである。
【００５１】
まず、無線部７が図９に示す受信メールデータからなる子データ（１０から１９）を受信し（ステップＳ１３０１）、ＣＰＵ３は子データ（１０から１９）をメモリ４に格納する（ステップＳ１３０２）。また、ＣＰＵ３は、該子データに対応する電話帳データからなる親データ（２０から２９）をメモリ４に格納する（ステップＳ１３０３）。なお、子データの記録と、親データの記録はどちらが先でもかまわない。
【００５２】
なお、子データを構成するフラグ（１０−２から１９-２）にはメールデータ受信時にフラグｚが自動的に付加される。ユーザは必要に応じて受信メールデータに対して任意のフラグを付加することもできる。親データを構成するフラグ（２０−２から２９−２）には、電話帳データが無線携帯端末に登録されるときに、ａ、ｂ、ｃ、又はｚが記録される。
【００５３】
次に、ユーザは、各シチュエーションモード（Ａ、Ｂ、Ｃ）についての実データ（１０−１から１９−１）の表示条件として、表２に示すように、各シチュエーションモードにおいて表示するフラグ、及び親子関係の優先順位が設定されたテーブルをメモリ４に格納する（ステップＳ１３０４）。
【００５４】
そして、スイッチ１を通じてユーザが表示用データの表示が要求されると（ステップＳ１３０５）、ＣＰＵ３はシチュエーションの選択を待って待機する（ステップＳ１３０６）。スイッチ１から所望のシチュエーションが選択されると（ステップＳ１３０６／ＹＥＳ）、ＣＰＵ３はメモリ１から表２を読み出し、表示するフラグを検出する。表示するフラグが検出されると、ＣＰＵ３は表示用データから検出されたフラグが付加された実データを読み出し、該実データを表示部５に表示する（ステップＳ１３０７）。
【００５５】
例えば、シチュエーションモードＡを選択された場合（ステップＳ１３０６）、表２に示すように、表示するフラグ：全てのフラグを表示する、親子関係の優先順位：子データにｚ以外のフラグが存在する場合には、子データを優先である。よって、親データを有するか否か、親データに付加されたフラグに関らず、図１０に示すように子データの実データ（１０−１から１９−１）全てが読み出され、表示部５に表示される（ステップＳ１３０７）。
【００５６】
シチュエーションモードＢが選択された場合は（ステップＳ１３０６）、表２に示すように、表示するフラグ：フラグａのみ表示、親子関係の優先順位：子データにｚ以外のフラグが存在する場合には、子データを優先である。例えば、親データ２０にはフラグａが付加され、子データ（１０、１１、１６）と親子関係にある。ここで、シチュエーションモードＢの親子関係の優先順位は、子データにｚ以外のフラグが存在する場合には、子データを優先である。
【００５７】
よって、子データ１０には、フラグｚが付加されているため、親データに付加されているフラグを優先するため、子データ１０の付加されているフラグに関らず、親データ２０のフラグａにより、子データ１０の実データ１０−１は表示部５に表示される。子データ１１の実データ１１−１についても、子データ１０と同様の条件により表示部５に表示される。
【００５８】
子データ１６には、フラグｂが付加されているため、親データ２０に付加されているフラグａに関らず、子データ１６に付加されているフラグｂにより実データ１６−１の表示・非表示が決定される。よって、フラグｂが付加されている子データ１６の実データ１６−１は表示部５には表示されない。以下同様に、表２に示されたシチュエーションモードＢの表示するフラグ及び親子関係の優先順位に基づいて、各子データの表示・非表示が判断される。
【００５９】
シチュエーションモードＣが選択された場合は（ステップＳ１３０６）、表２に示すように、表示するフラグ：フラグｂのみを非表示、親子関係の優先順位：子データにｚ以外のフラグが存在する場合でも、親が存在する場合には、親データを優先である。例えば、親データ２０にはフラグａが付加され、子データ（１０、１１、１６）と親子関係にある。ここで、シチュエーションモードＣの親子関係の優先順位は、親が存在する場合には、親データを優先である。
【００６０】
よって、子データ１０には、親データ２０が存在し、親データ２０に付加されているフラグがａであるから、子データ１０に付加されているフラグｚに関らず、子データ１０の実データ１０−１は表示部５に表示される。子データ１１の実データ１１−１についても、子データ１０と同様の条件により表示部５に表示される。
【００６１】
子データ１６には、フラグｂが付加されている。しかし、子データ１６は、親データ２０を有し、子データ１６に付加されているフラグｂに関らず、親データ２０に付加されているフラグａにより実データ１６−１の表示・非表示が決定される。よって、フラグａが付加されている子データ１６の実データ１６−１は表示部５には表示される。以下同様に、表２に示されたシチュエーションモードＣの表示するフラグ及び親子関係の優先順位に基づいて、各子データの表示・非表示が判断される。
【００６２】
シチュエーションモードの変更は、起動時、特別なキー操作、又はパスワードで保護された領域において可能とする。フラグの変更は、起動時、特別なキー操作、又はパスワードで保護された領域において可能とする。
【００６３】
また、子データ（１０から１９）に対する親データが親データ（２０から２９）に存在しない場合、フラグ（１０−２から１９−２）には指定なしのフラグｚを付加することもできる。
【００６４】
また、親データ（２０から２９）と子データ（１０から１９）のフラグ優先順位も選択できる。
【００６５】
また、子データのフラグ（１０−２から１９−２）は存在させず、親データの（フラグ２０−２から２９−２）のみを参照し、親データが存在しない場合には指定なしのフラグｚを付加することもできる。
【００６６】
また、制限をかけて表示されていない記録データに対する、着信やメール受信時の動作を指定できる。
【００６７】
さらに、受信メールや着信履歴などの自らが記録するものでないデータに対しては、自動的に指定のフラグを付加することができる。また、それぞれのシチュエーションで付加するフラグを指定できる。本実施形態は、データのみではなくフォルダにも適用できる。
【図面の簡単な説明】
【００６８】
【図１】本実施形態に係る無線携帯端末の構成を示すブロック図である。
【図２】本実施形態に係る無線携帯端末のスイッチの構成を示す概略図である。
【図３】メモリに格納される表示用データの構成を示すブロック図である。
【図４】メモリに格納される表示用データの表示例である。
【図５】シチュエーションモードＡに基づいた表示部の表示例である。
【図６】シチュエーションモードＢに基づいた表示部の表示例である。
【図７】シチュエーションモードＣに基づいて表示部の表示例である。
【図８】本実施形態に係る無線携帯端末の表示動作を示すフローチャートである。
【図９】メモリに格納される親子関係を有する表示用データの表示例である。
【図１０】シチュエーションモードＡに基づいた親子関係にある表示用データを表示した例である。
【図１１】シチュエーションモードＢに基づいて親子関係にある表示用データを表示した例である。
【図１２】シチュエーションモードＣに基づいて親子関係にある表示用データを表示した例である。
【図１３】本実施形態に係る無線携帯端末の表示動作を示すフローチャートである。
【符号の説明】
【００６９】
１    スイッチ
２    制御部
３    ＣＰＵ
４    メモリ
５    表示部
６    アンテナ
７    無線部
８    マイク
９    レシーバ
【図１】
2006268159.tif 000005
【図２】
2006268159.tif 000006
【図３】
2006268159.tif 000007
【図４】
2006268159.tif 000008
【図５】
2006268159.tif 000009
【図６】
2006268159.tif 000010
【図７】
2006268159.tif 000011
【図８】
2006268159.tif 000012
【図９】
2006268159.tif 000013
【図１０】
2006268159.tif 000014
【図１１】
2006268159.tif 000015
【図１２】
2006268159.tif 000016
【図１３】
2006268159.tif 000017